(57)【要約】本発明に係る情報隠蔽葉書は、一枚のシートと、剥離紙と、からなる。前記シートは、折り返し線に沿って折り返し可能であり、前記折り返し線を境界として第一領域と第二領域とを有している。前記第二領域の表面には、前記折り返し線と平行に延びる第一のミシン目と、前記折り返し線から離れる方向に前記第一のミシン目と間隔をおいて前記第一のミシン目と平行に延びる第二のミシン目とが形成され、前記第二領域の裏面には、前記折り返し線と前記第一のミシン目との間に第一接着層が形成され、さらに、前記折り返し線と平行に延びる前記第二領域の辺と前記第二のミシン目との間に第二接着層が形成されている。前記剥離紙は前記裏面に貼り付けられている。前記第一接着層は、前記第二領域の裏面と前記第一領域の裏面とを相互に貼り合わせた後に剥離可能であり、かつ、再貼り付け可能な接着力を有しており、前記第二接着層は、前記第二領域の裏面と前記第一領域の裏面とを相互に貼り合わせた後に剥離不可能な接着力を有している。【特許請求の範囲】
【請求項１】
一枚のシートと、剥離紙と、からなる情報隠蔽葉書であって、
前記シートは、折り返し線に沿って折り返し可能であり、前記折り返し線を境界として第一領域と第二領域とを有しており、
前記第二領域には、前記折り返し線と平行に延びる第一のミシン目と、前記折り返し線から離れる方向に前記第一のミシン目と間隔をおいて前記第一のミシン目と平行に延びる第二のミシン目とが形成され、
前記第二領域の裏面には、前記折り返し線と前記第一のミシン目との間の領域に第一接着層が形成され、さらに、前記折り返し線と平行に延びる前記第二領域の辺と前記第二のミシン目との間の領域に第二接着層が形成され、
前記剥離紙は前記第二領域の前記裏面に貼り付けられており、
前記第一接着層は、前記第二領域の裏面と前記第一領域の裏面とを相互に貼り合わせた後に剥離可能であり、かつ、再貼り付け可能な接着力を有しており、
前記第二接着層は、前記第二領域の裏面と前記第一領域の裏面とを相互に貼り合わせた後に剥離不可能な接着力を有している情報隠蔽葉書。
【請求項２】
前記第一接着層は、前記第二領域の何れか一方の裏面のほぼ全域にわたって形成されていることを特徴とする請求の範囲第１項に記載の情報隠蔽葉書。
【請求項３】
一枚のシートと、剥離紙と、からなる情報隠蔽葉書であって、
前記シートは、折り返し線に沿って折り返し可能であり、前記折り返し線を境界として第一領域と第二領域とを有しており、
前記第二領域には、前記折り返し線と平行に延びる第一のミシン目と、前記折り返し線から離れる方向に前記第一のミシン目と間隔をおいて前記第一のミシン目と平行に延びる第二のミシン目とが形成され、
前記第一領域の裏面には、第一非接着層が形成され、前記第二領域の裏面には、第二接着層が形成され、
前記第一非接着層は、前記折り返し線を中心として前記第一領域の裏面と前記第二領域の裏面とを折り合わせたときに、前記折り返し線と平行に延びる前記第二領域の辺と前記第二のミシン目との間の領域と重なり合わないように、形成されており、
前記剥離紙は前記第二領域の前記裏面に貼り付けられており、
前記第一非接着層は、前記第二領域の裏面と前記第一領域の裏面とを前記第二接着層を介して相互に貼り合わせた後であっても、前記第二接着層から剥離可能であり、
前記第二接着層は、前記第二領域の裏面と前記第一領域の裏面とを相互に貼り合わせた後に剥離不可能な接着力を有している情報隠蔽葉書。
【請求項４】
前記折り返し線には折り目が付けられていることを特徴とする請求の範囲第１項または第３項に記載の情報隠蔽葉書。
【請求項５】
前記折り返し線にはミシン目が形成されていることを特徴とする請求の範囲第１項または第３項に記載の情報隠蔽葉書。
【請求項６】
前記折り返し線は前記シートの中心線であることを特徴とする請求の範囲第１項乃至第５項の何れか一項に記載の情報隠蔽葉書。
【請求項７】
一枚のシートと、剥離紙と、からなる情報隠蔽葉書であって、
前記シートは、第一の折り返し線及び第二の折り返し線に沿ってそれぞれ折り返し可能であり、前記第一の折り返し線の両側に第一領域及び第二領域を形成し、前記第二の折り返し線の両側に前記第二領域及び第三領域を形成しており、
前記第三領域には、前記第二の折り返し線と平行に延びる第一のミシン目と、前記第二の折り返し線から離れる方向に前記第一のミシン目と間隔をおいて前記第一のミシン目と平行に延びる第二のミシン目とが形成され、
前記第二領域の裏面には第一接着層が形成され、
前記第三領域の裏面には、前記第二のミシン目と、前記第二の折り返し線と平行な前記第三領域の辺との間の領域に第二接着層が形成され、
前記剥離紙は前記第二領域の前記裏面及び前記第三領域の前記裏面に貼り付けられており、
前記第一接着層は、前記第一領域の裏面と前記第二領域の裏面とを相互に貼り合わせた後に剥離可能であり、かつ、再貼り付け可能な接着力を有しており、
前記第二接着層は、前記第三領域の裏面と前記第一領域の表面とを相互に貼り合わせた後に剥離不可能な接着力を有している情報隠蔽葉書。
【請求項８】
前記第一接着層は、前記第二領域の裏面のほぼ全域にわたって形成されていることを特徴とする請求の範囲第７項に記載の情報隠蔽葉書。
【請求項９】
前記第一の折り返し線及び前記第二の折り返し線には折り目が付けられ、または、ミシン目が形成されていることを特徴とする請求の範囲第７項または第８項に記載の情報隠蔽葉書。
【請求項１０】
前記第一のミシン目と前記第二のミシン目との間に挟まれた領域は、他の領域と異なる配色または模様が施されていることを特徴とする請求の範囲第１項乃至第９項の何れか一項に記載の情報隠蔽葉書。
【請求項１１】
請求の範囲第１項に記載の情報隠蔽葉書の製造方法であって、
印刷用紙から前記情報隠蔽葉書を裁断する工程と、
前記第二領域の裏面に前記第一接着層及び前記第二接着層を同時に形成する工程と、
前記第二領域の前記裏面に前記剥離紙を貼り付ける工程と、
前記第二領域に前記第一のミシン目及び前記第二のミシン目を同時に形成する工程と、
を備える情報隠蔽葉書の製造方法。
【請求項１２】
請求の範囲第３項に記載の情報隠蔽葉書の製造方法であって、
印刷用紙から前記情報隠蔽葉書を裁断する工程と、
前記第一領域の裏面に前記第一非接着層を形成する工程と、
前記第二領域の裏面に前記第二接着層を形成する工程と、
前記第二領域の前記裏面に前記剥離紙を貼り付ける工程と、
前記第二領域に前記第一のミシン目及び前記第二のミシン目を同時に形成する工程と、
を備える情報隠蔽葉書の製造方法。
【請求項１３】
前記第一領域及び前記第二領域の少なくとも何れか一方に印刷を行う工程を備えることを特徴とする請求の範囲第１１項または第１２項に記載の情報隠蔽葉書の製造方法。
【請求項１４】
前記折り返し線に、折り目を付け、または、ミシン目を形成する工程を備えることを特徴とする請求の範囲第１１項乃至第１３項の何れか一項に記載の情報隠蔽葉書の製造方法。
【請求項１５】
請求の範囲第７項に記載の情報隠蔽葉書の製造方法であって、
印刷用紙から前記情報隠蔽葉書を裁断する工程と、
前記第二領域の裏面に前記第一接着層を、前記第三領域の裏面に前記第二接着層をそれぞれ同時に形成する工程と、
前記第二領域の前記裏面に前記剥離紙を貼り付ける工程と、
前記第三領域に前記第一のミシン目及び前記第二のミシン目を同時に形成する工程と、
を備える情報隠蔽葉書の製造方法。
【請求項１６】
前記第一領域、前記第二領域及び前記第三領域の少なくとも何れか一つに印刷を行う工程を備えることを特徴とする請求の範囲第１５項に記載の情報隠蔽葉書の製造方法。
【請求項１７】
前記第一及び第二の折り返し線に、折り目を付け、または、ミシン目を形成する工程を備えることを特徴とする請求の範囲第１５項または第１６項に記載の情報隠蔽葉書。
【発明の詳細な説明】
【技術分野】
【０００１】
本発明は、葉書の配送中に葉書の本文記載面が第三者に見られてしまうことを防止する情報隠蔽葉書（「シークレット葉書」とも呼ばれる）及びその製造方法に関する。
【背景技術】
【０００２】
従来から、葉書の本文記載面が受取人以外の第三者に見られてしまうことを防止するための情報隠蔽葉書が多数提案されている。【０００３】
例えば、折り目が付けられている中心線を対称として二つ折り可能な葉書の一方の内面に剥離可能かつ再接着可能な接着層を形成したもの、本文記載欄に隠蔽用シールを貼り付けたものなどが提案されている（例えば、特開平７−１７１６６号公報、特開平１１−１２９６５４号公報）。
前者においては、接着層を介して葉書の二つの面を相互に貼り合わせることにより、葉書の本文記載面を隠すことができる。また、後者においては、本文記載欄に隠蔽用シールを貼り付けることにより、本文記載欄を隠すことができる。
【発明の開示】
【発明が解決しようとする課題】
【０００４】
しかしながら、従来の情報隠蔽葉書における接着層または隠蔽用シールは再接着可能であるので、受取人以外の第三者が一旦開封し、葉書の本文を見た後で、葉書の二つの面を相互に貼り合わせ、あるいは、隠蔽用シールを再接着すれば、葉書は未開封状態に戻るので、受取人以外の第三者が葉書の本文を見たことは判明しなくなる。【０００５】
本発明は、このような従来の情報隠蔽葉書における問題点に鑑みてなされたものであり、一旦開封すれば、未開封状態に戻すことはできない情報隠蔽葉書を提供することを目的とする。
【課題を解決するための手段】
【０００６】
この目的を達成するため、本発明は、第一の形態として、一枚のシートと、剥離紙と、からなる情報隠蔽葉書であって、前記シートは、折り返し線に沿って折り返し可能であり、前記折り返し線を境界として第一領域と第二領域とを有しており、前記第二領域には、前記折り返し線と平行に延びる第一のミシン目と、前記折り返し線から離れる方向に前記第一のミシン目と間隔をおいて前記第一のミシン目と平行に延びる第二のミシン目とが形成され、前記第二領域の裏面には、前記折り返し線と前記第一のミシン目との間の領域に第一接着層が形成され、さらに、前記折り返し線と平行に延びる前記第二領域の辺と前記第二のミシン目との間の領域に第二接着層が形成され、前記剥離紙は前記第二領域の前記裏面に貼り付けられており、前記第一接着層は、前記第二領域の裏面と前記第一領域の裏面とを相互に貼り合わせた後に剥離可能であり、かつ、再貼り付け可能な接着力を有しており、前記第二接着層は、前記第二領域の裏面と前記第一領域の裏面とを相互に貼り合わせた後に剥離不可能な接着力を有している情報隠蔽葉書を提供する。【０００７】
本発明に係る情報隠蔽葉書においては、剥離紙を剥がした後、第一領域と第二領域とを折り返し線を中心として折り合わせ、第一接着層及び第二接着層を介して第一領域の裏面と第二領域の裏面とを貼り合わせる。この状態で情報隠蔽葉書は発送される。情報隠蔽葉書を受け取った受取人は、第一のミシン目と第二のミシン目との間の領域を第一のミシン目及び第二のミシン目に沿って切り離すことにより、情報隠蔽葉書を開封することができる。本発明に係る情報隠蔽葉書においては、第一のミシン目と第二のミシン目との間の領域を切り離さない限りは、情報隠蔽葉書の開封を行なうことができないため、受取人が情報隠蔽葉書を受け取った時点において、該領域が切り離されていなければ、未だ情報隠蔽葉書は未開封であることを確認することができる一方、該領域が切り離されている場合には、情報隠蔽葉書は既に一旦開封されており、受取人以外の第三者が情報隠蔽葉書の本文を見たことを推定することができる。【０００８】
前記折り返し線には目印として単に線を書いておいてもよく、あるいは、折り目を付けておいてもよい。折り目をつけておくことにより、第一領域と第二領域とを容易に折り合わせることができる。【０００９】
あるいは、前記折り返し線にはミシン目を形成することができる。折り返し線にミシン目を形成しておくことにより、情報隠蔽葉書の開封後においては、第一領域と第二領域とを切り離して、例えば、第二領域の表面に印刷が施されている場合には、裏面に第一接着層が形成されている第二領域を壁に貼り付けて掲示板として使用することもできる。【００１０】
前記折り返し線は前記シートの中心線であることは必ずしも必要ではないが、前記折り返し線は前記シートの中心線とすることにより、第一の領域と第二の領域とを完全に重ね合わせることができる。【００１１】
前記第一接着層は、前記第二領域の何れか一方の裏面のほぼ全域にわたって形成することができる。【００１２】
ただし、第一接着層をこのように形成することも必ずしも必要ではない。第一接着層は、第二領域の裏面を第一領域の裏面に貼り合わせた際に、第一領域の裏面に記載された本文が隠れるように第二領域の裏面が第一領域の裏面に貼り合わせられるような範囲に形成されれば十分である。【００１３】
前記第一のミシン目と前記第二のミシン目との間に挟まれた領域は、他の領域と異なる配色または模様が施されていることが好ましい。【００１４】
これにより、受取人は、第一のミシン目及び第二のミシン目の代わりに、周囲の第二領域とは異なる配色または模様を目印として、切り離す領域を容易に見つけ出すことができる。【００１５】
本発明は、さらに、第二の形態として、一枚のシートと、剥離紙と、からなる情報隠蔽葉書であって、前記シートは、第一の折り返し線及び第二の折り返し線に沿ってそれぞれ折り返し可能であり、前記第一の折り返し線の両側に第一領域及び第二領域を形成し、前記第二の折り返し線の両側に前記第二領域及び第三領域を形成しており、前記第三領域には、前記第二の折り返し線と平行に延びる第一のミシン目と、前記第二の折り返し線から離れる方向に前記第一のミシン目と間隔をおいて前記第一のミシン目と平行に延びる第二のミシン目とが形成され、前記第二領域の裏面には第一接着層が形成され、前記第三領域の裏面には、前記第二のミシン目と、前記第二の折り返し線と平行な前記第三領域の辺との間の領域に第二接着層が形成され、前記剥離紙は前記第二領域の前記裏面及び前記第三領域の前記裏面に貼り付けられており、前記第一接着層は、前記第一領域の裏面と前記第二領域の裏面とを相互に貼り合わせた後に剥離可能であり、かつ、再貼り付け可能な接着力を有しており、前記第二接着層は、前記第三領域の裏面と前記第一領域の表面とを相互に貼り合わせた後に剥離不可能な接着力を有している情報隠蔽葉書を提供する。【００１６】
本発明に係る情報隠蔽葉書においては、剥離紙を剥がした後、第一領域と第二領域とを第一の折り返し線を中心として折り合わせ、第一接着層を介して第一領域の裏面と第二領域の裏面とを貼り合わせる。その後、第二の折り返し線を中心として第三領域を折り曲げ、第二接着層を介して第三領域の裏面を第一領域の表面に貼り付ける。この状態で情報隠蔽葉書は発送される。情報隠蔽葉書を受け取った受取人は、第一のミシン目と第二のミシン目との間の領域を第一のミシン目及び第二のミシン目に沿って切り離すことにより、情報隠蔽葉書を開封することができる。本発明に係る情報隠蔽葉書においては、第一のミシン目と第二のミシン目との間の領域を切り離さない限りは、情報隠蔽葉書の開封を行なうことができないため、受取人が情報隠蔽葉書を受け取った時点において、該領域が切り離されていなければ、未だ情報隠蔽葉書は未開封であることを確認することができる一方、該領域が切り離されている場合には、情報隠蔽葉書は既に一旦開封されており、受取人以外の第三者が情報隠蔽葉書の本文を見たことを推定することができる。【００１７】
さらに、本発明は、第三の態様として、一枚のシートと、剥離紙と、からなる情報隠蔽葉書であって、前記シートは、折り返し線に沿って折り返し可能であり、前記折り返し線を境界として第一領域と第二領域とを有しており、前記第二領域には、前記折り返し線と平行に延びる第一のミシン目と、前記折り返し線から離れる方向に前記第一のミシン目と間隔をおいて前記第一のミシン目と平行に延びる第二のミシン目とが形成され、前記第一領域の裏面には、第一非接着層が形成され、前記第二領域の裏面には、第二接着層が形成され、前記第一非接着層は、前記折り返し線を中心として前記第一領域の裏面と前記第二領域の裏面とを折り合わせたときに、前記折り返し線と平行に延びる前記第二領域の辺と前記第二のミシン目との間の領域と重なり合わないように、形成されており、前記剥離紙は前記第二領域の前記裏面に貼り付けられており、前記第一非接着層は、前記第二領域の裏面と前記第一領域の裏面とを前記第二接着層を介して相互に貼り合わせた後であっても、前記第二接着層から剥離可能であり、前記第二接着層は、前記第二領域の裏面と前記第一領域の裏面とを相互に貼り合わせた後に剥離不可能な接着力を有している情報隠蔽葉書を提供する。【００１８】
本発明に係る情報隠蔽葉書においては、剥離紙を剥がした後、第一領域と第二領域とを折り返し線を中心として折り合わせ、第二接着層を介して第一領域の裏面と第二領域の裏面とを貼り合わせる。ただし、第一非接着層は第二接着層から剥離可能であるので、第一領域の裏面に第一非接着層が形成されている領域においては、第一領域の裏面と第二領域の裏面とは実質的には貼り合わせられてはいない。実質的には、第一非接着層が形成されていない領域（折り返し線を中心として第一領域の裏面と第二領域の裏面とを折り合わせたときに、折り返し線と平行に延びる第二領域の辺と第二のミシン目との間の領域に対応する第一領域の領域）においてのみ、第一領域の裏面と第二領域の裏面とは貼り合わせられている。この状態で情報隠蔽葉書は発送される。情報隠蔽葉書を受け取った受取人は、第一のミシン目と第二のミシン目との間の領域を第一のミシン目及び第二のミシン目に沿って切り離すことにより、情報隠蔽葉書を開封することができる。これは、第一非接着層は第二接着層から剥離可能であるので、第一非接着層が形成されている領域においては、第一領域の裏面と第二領域の裏面とは貼り合わせられていないからである。本発明に係る情報隠蔽葉書においては、第一のミシン目と第二のミシン目との間の領域を切り離さない限りは、情報隠蔽葉書の開封を行なうことができないため、受取人が情報隠蔽葉書を受け取った時点において、該領域が切り離されていなければ、未だ情報隠蔽葉書は未開封であることを確認することができる一方、該領域が切り離されている場合には、情報隠蔽葉書は既に一旦開封されており、受取人以外の第三者が情報隠蔽葉書の本文を見たことを推定することができる。【００１９】
本発明は、上記の第一の態様に係る情報隠蔽葉書の製造方法であって、印刷用紙から前記情報隠蔽葉書を裁断する工程と、前記第二領域の裏面に前記第一接着層及び前記第二接着層を同時に形成する工程と、前記第二領域の前記裏面に前記剥離紙を貼り付ける工程と、前記第二領域に前記第一のミシン目及び前記第二のミシン目を同時に形成する工程と、を備える情報隠蔽葉書の製造方法を提供する。【００２０】
本製造方法により、上記の第一の態様に係る情報隠蔽葉書を製造することができる。【００２１】
本製造方法は、前記第一領域及び前記第二領域の少なくとも何れか一方に印刷を行う工程を備えることが好ましい。【００２２】
本製造方法は、前記折り返し線に、折り目を付け、または、ミシン目を形成する工程を備えることが好ましい。【００２３】
本発明は、上記の第二の態様に係る情報隠蔽葉書の製造方法であって、印刷用紙から前記情報隠蔽葉書を裁断する工程と、前記第二領域の裏面に前記第一接着層を、前記第三領域の裏面に前記第二接着層をそれぞれ同時に形成する工程と、前記第二領域の前記裏面に前記剥離紙を貼り付ける工程と、前記第三領域に前記第一のミシン目及び前記第二のミシン目を同時に形成する工程と、を備える情報隠蔽葉書の製造方法を提供する。【００２４】
本製造方法により、上記の第二の態様に係る情報隠蔽葉書を製造することができる。【００２５】
本製造方法は、前記第一領域、前記第二領域及び前記第三領域の少なくとも何れか一つに印刷を行う工程を備えることが好ましい。【００２６】
本製造方法は、前記第一及び第二の折り返し線に、折り目を付け、または、ミシン目を形成する工程を備えることが好ましい。【００２７】
本発明は、上記の第三の態様に係る情報隠蔽葉書の製造方法であって、印刷用紙から前記情報隠蔽葉書を裁断する工程と、前記第一領域の裏面に前記第一非接着層を形成する工程と、前記第二領域の裏面に前記第二接着層を形成する工程と、前記第二領域の前記裏面に前記剥離紙を貼り付ける工程と、前記第二領域に前記第一のミシン目及び前記第二のミシン目を同時に形成する工程と、を備える情報隠蔽葉書の製造方法を提供する。【００２８】
本製造方法により、上記の第三の態様に係る情報隠蔽葉書を製造することができる。
【発明の効果】
【００２９】
本発明に係る情報隠蔽葉書においては、第一のミシン目と第二のミシン目との間に挟まれる領域を切り離さない限りは、本発明に係る情報隠蔽葉書の開封を行なうことができない。このため、受取人が本情報隠蔽葉書を受け取った時点において、該領域が切り離されていなければ、未だ本情報隠蔽葉書は未開封であることを確認することができる。その一方、該領域が切り離されている場合には、情報隠蔽葉書は既に一旦開封されており、受取人以外の第三者が情報隠蔽葉書の本文を見たことを推定することができる。
【発明を実施するための最良の形態】
【００３０】
［第一の実施形態］
図１は本発明の第一の実施形態に係る情報隠蔽葉書の表面の平面図、図２は本発明の第一の実施形態に係る情報隠蔽葉書の裏面（剥離紙が貼り付けられていない状態）の平面図、図３は本発明の第一の実施形態に係る情報隠蔽葉書の裏面（剥離紙が貼り付けられている状態）の平面図、図４は図３のＡ−Ａ線における断面図である。【００３１】
以下、図１乃至図４を参照して、本発明の第一の実施形態に係る情報隠蔽葉書１０を説明する。【００３２】
本発明の第一の実施形態に係る情報隠蔽葉書１０は、一枚の紙製のシート１１と、剥離紙１９と、からなる。【００３３】
シート１１の中心線には折り返し線１２が設けられており、シート１１はこの折り返し線１２に沿って折り返し可能に形成されている。【００３４】
シート１１は、折り返し線１２を境界として、その左右に第一領域１３と第二領域１４とを有している。第一領域１３と第二領域１４とは相互に同じ大きさを有しており、それぞれ表面１３ａ（図１参照）、１４ａ（図１参照）と裏面１３ｂ（図２参照）、１４ｂ（図２参照）とを有している。第一領域１３と第二領域１４とはともに現在使用されている葉書と同じ大きさである。【００３５】
第一領域１３の表面１３ａには、切手を貼る枠２０ａと、郵便番号を記入する枠２０ｂとが予め印刷されている。【００３６】
第二領域１４には、折り返し線１２と平行に延びる第一のミシン目１５と、折り返し線１２から離れる方向に第一のミシン目１５と間隔をおいて第一のミシン目１５と平行に延びる第二のミシン目１６とが形成されている。図１に示すように、第一のミシン目１５及び第二のミシン目１６は、折り返し線１２とは反対側の第二領域１４の辺１４ｃの近傍に形成されている。【００３７】
図２及び図４に示すように、第二領域１４の裏面１４ｂには、折り返し線１２と第一のミシン目１５との間の領域に、折り返し線１２の近傍の領域を除いて、第一接着層１７（左斜め下の斜線の領域）が形成されており、さらに、第二領域１４の辺１４ｃと第二のミシン目１６との間の領域に第二接着層１８（右斜め下の斜線の領域）が形成されている。【００３８】
図３及び図４に示すように、剥離紙１９は第二領域１４の裏面１４ｂに、すなわち、第一接着層１７及び第二接着層１８上に貼り付けられている。【００３９】
第一接着層１７は、折り返し線１２を中心としてシート１１を折り返して第二領域１４の裏面１４ｂと第一領域１３の裏面１３ｂとを相互に貼り合わせた後に剥離可能であり、かつ、再貼り付け可能な程度の接着力を有している。【００４０】
また、第二接着層１８は、折り返し線１２を中心としてシート１１を折り返して第二領域１４の裏面１４ｂと第一領域１３の裏面１３ｂとを相互に貼り合わせた後に剥離不可能な程度の接着力を有している。【００４１】
次いで、本発明の第一の実施形態に係る情報隠蔽葉書１０の使用方法を以下に説明する。【００４２】
先ず、第一領域１３の表面１３ａに受取人の宛て名及び氏名を記入し、第一領域１３の裏面１３ｂに本文を記載した後、剥離紙１９を第二領域１４の裏面１４ｂから剥がす。【００４３】
次いで、折り返し線１２を中心として第一領域１３をＫ方向（図４参照）に折り曲げ、第一領域１３の裏面１３ｂと第二領域１４の裏面１４ｂとを相互に貼り合わせる。これにより、第一領域１３の裏面１３ｂと第二領域１４の裏面１４ｂとは第一接着層１７及び第二接着層１８を介して相互に貼り合わせられる。【００４４】
受取人はこの状態で情報隠蔽葉書１０を受け取る。【００４５】
受取人は、第一のミシン目１５と第二のミシン目１６との間に挟まれた領域２１の一端を持って、第一のミシン目１５と第二のミシン目１６に沿って、領域２１を周囲の第二領域１４から切り離す。この際、周囲の第二領域１４は第一接着層１７及び第二接着層１８を介して第一領域１３に貼り付けられているため、領域２１のみが第一のミシン目１５と第二のミシン目１６に沿って切り離されることになる。【００４６】
第二のミシン目１６と第二領域１４の辺１４ｃとの間の領域は第二接着層１８を介して第一領域１３に貼り付けられているため、第一領域１３からは剥がれない。【００４７】
これに対して、折り返し線１２と第一のミシン目１５との間の領域は第一接着層１７を介して第一領域１３に貼り付けられているため、第一領域１３から剥がすことが可能である。受取人は、領域２１を切り離した後、領域２１から折り返し線１２の方向に折り返し線１２と第一のミシン目１５との間の第二領域１４を第一領域１３から剥がすことにより、第一領域１３の裏面１３ｂに記載された本文を読むことができる。【００４８】
本文を読み終わった後は、折り返し線１２と第一のミシン目１５との間の第二領域１４を再び第一領域１３の裏面１３ｂに貼り付けておくことができる。【００４９】
以上のように、本実施形態に係る情報隠蔽葉書１０によれば、第一のミシン目１５と第二のミシン目１６との間に挟まれた領域２１を切り離すことにより、情報隠蔽葉書１０の開封が行なわれ、領域２１を切り離さない限りは、情報隠蔽葉書１０の開封を行なうことができない。このため、受取人が情報隠蔽葉書１０を受け取った時点において、領域２１が切り離されていなければ、未だ情報隠蔽葉書１０は未開封であることを確認することができる一方、領域２１が切り離されている場合には、情報隠蔽葉書１０は既に一旦開封されており、受取人以外の第三者が情報隠蔽葉書１０の本文を見たことを推定することができる。【００５０】
第一の実施形態に係る情報隠蔽葉書１０は以上のような構成に限定されるものではなく、以下のように、種々の変更を加えることが可能である。【００５１】
シート１１の中心線には折り返し線１２が設けられているが、折り返し線１２に代えて、第一のミシン目１５及び第二のミシン目１６と同様のミシン目を入れることも可能である。【００５２】
情報隠蔽葉書１０の開封後においては、第二領域１４は不要となるが（本文は第一領域１３の裏面１３ｂに記載されているので）、シート１１の中心線にミシン目を入れておくことにより、第一領域１３と第二領域１４とを切り離すことが可能になり、第一領域１３のみを保存しておくことが可能になる。【００５３】
あるいは、シート１１の中心線には単に目印となる線を引いておくことも可能である。この線に沿ってシート１１を折り曲げればよい。【００５４】
さらに、第二領域１４の表面１４ａに宣伝広告を印刷した場合、第二領域１４の裏面１４ｂには第一接着層１７が形成されているため、切り離した第二領域１４を、例えば、壁に貼り付けて見やすいようにすることも可能になる。【００５５】
なお、第一の実施形態においては、折り返し線１２はシート１１の中心線に設けたが、折り返し線１２を設ける位置はシート１１の中心線に限定されるものではない。例えば、第一領域１３を第二領域１４よりも大きく形成し、折り返し線１２をシート１１の中心線よりも第二領域１４側に移行させることもできる。【００５６】
また、第一の実施形態においては、第一接着層１７は、折り返し線１２の近傍を除いて、第二領域１４のほぼ全域にわたって形成されているが、第一接着層１７をこのように形成することも必ずしも必要ではない。【００５７】
第一接着層１７は、第二領域１４の裏面１４ｂを第一領域１３の裏面１３ｂに貼り合わせた際に、第一領域１３の裏面１３ｂに記載された本文が隠れるように第二領域１４の裏面１４ｂが第一領域１３の裏面１３ｂに貼り合わせられるような範囲に形成されれば十分である。【００５８】
また、第一のミシン目１５と第二のミシン目１６との間に挟まれた領域２１には、周囲の第二領域１４と区別しやすくするために、周囲の第二領域１４とは異なる配色または模様などを施すことができる。これにより、受取人は、第一のミシン目１５及び第二のミシン目１６の代わりに、周囲の第二領域１４とは異なる配色または模様の領域２１を目印として、切り離す領域を見つけ出すことができる。【００５９】
なお、本明細書中、ミシン目には「両刃抜き」と呼ばれるカットの仕方も含まれるものとする。【００６０】
図５及び図６は本実施形態に係る情報隠蔽葉書１０の製造装置を示す概略図であり、図７は本実施形態に係る情報隠蔽葉書１０の製造方法を示すフローチャートである。【００６１】
以下、図５、図６及び図７を参照して、本実施形態に係る情報隠蔽葉書１０の製造方法を説明する。【００６２】
図５に示す製造装置はオフセット印刷機である。【００６３】
先ず、印刷用紙はロール２２から裁断セクション２３に送られ、シート１１の大きさに裁断される（図７のステップＳ０１）。【００６４】
次いで、印刷用紙は印刷セクション２４に送られ、印刷セクション２４において、第一領域１３の表面１３ａに枠２０ａ、２０ｂが印刷される（図７のステップＳ０２）。第二領域１４の表面１４ａにおける第一のミシン目１５と第二のミシン目１６との間に挟まれた領域２１に周囲の領域とは異なる色を印刷する場合には、印刷セクション２４において、領域２１にその色が印刷される。【００６５】
この後、印刷用紙は一旦集積される。【００６６】
図６に示す製造装置はタック印刷機である。【００６７】
一旦集積された印刷用紙は、接着剤塗布セクション２５に送られ、第二領域１４の裏面１４ｂに第一接着層１７を形成する接着剤及び第二接着層１８を形成する接着剤が塗布される（図７のステップＳ０３）。【００６８】
次いで、印刷用紙は、剥離紙付与セクション２６に送られ、剥離紙付与セクション２６において、第二領域１４の裏面１４ｂに、すなわち、第一接着層１７及び第二接着層１８上に剥離紙１９が貼り付けられる（図７のステップＳ０４）。【００６９】
次いで、印刷用紙はミシン目形成セクション２７に送られ、第一接着層１７及び第二接着層１８の間に第一のミシン目１５及び第二のミシン目１６が形成される（図７のステップＳ０５）。シート１１の中心線にミシン目を入れる場合には、ミシン目形成セクション２７において、第一のミシン目１５及び第二のミシン目１６とともにシート１１の中心線にミシン目が形成される。【００７０】
最後に、折り目セクション２８において、シート１１の中心線に折り目が入れられる（図７のステップＳ０６）。【００７１】
なお、印刷セクション２４における印刷工程（図７のステップＳ０２）は省略可能である。【００７２】
［第二の実施形態］
図８は本発明の第二の実施形態に係る情報隠蔽葉書の表面の平面図、図９は本発明の第二の実施形態に係る情報隠蔽葉書の裏面（剥離紙が貼り付けられていない状態）の平面図、図１０は図９のＢ−Ｂ線における断面図（剥離紙が貼り付けられている状態）、図１１は本発明の第二の実施形態に係る情報隠蔽葉書を発送する際の状態を示す平面図、図１２は図１１のＣ−Ｃ線における断面図である。【００７３】
以下、図８乃至図１２を参照して、本発明の第二の実施形態に係る情報隠蔽葉書３０を説明する。【００７４】
本発明の第二の実施形態に係る情報隠蔽葉書３０は、一枚の紙製のシート３１と、剥離紙４１と、からなる。【００７５】
シート３１には第一の折り返し線３２ａと第二の折り返し線３２ｂが設けられており、シート３１は第一の折り返し線３２ａ及び第二の折り返し線３２ｂに沿ってそれぞれ折り返し可能に形成されている。【００７６】
第一の折り返し線３２ａの両側には第一領域３３及び第二領域３４が形成され、第二の折り返し線３２ｂの両側に第二領域３４及び第三領域３５が形成されている。第一領域３３と第二領域３４とは相互に同じ大きさを有しており、ともに現在使用されている葉書と同じ大きさである。第一領域３３、第二領域３４及び第三領域３５はそれぞれ表面３３ａ（図８参照）、３４ａ（図８参照）、３５ａ（図８参照）と裏面３３ｂ（図９参照）、３４ｂ（図９参照）、３５ｂ（図９参照とを有している。【００７７】
第一領域３３の表面３３ａには、切手を貼る枠２０ａと、郵便番号を記入する枠２０ｂとが予め印刷されている。【００７８】
第三領域３５には、第二の折り返し線３２ｂと平行に延びる第一のミシン目３６と、第二の折り返し線３２ｂから離れる方向に第一のミシン目３６と間隔をおいて第一のミシン目３６と平行に延びる第二のミシン目３７とが形成されている。図８に示すように、第一のミシン目３６及び第二のミシン目３７は、第二の折り返し線３２ｂとは反対側の第三領域３５の辺３５ｃの近傍に形成されている。【００７９】
図９及び図１０に示すように、第二領域３４の裏面３４ｂには、第一の折り返し線３２ａと第二の折り返し線３２ｂとの間の領域に、第一の折り返し線３２ａの近傍の領域を除いて、第一接着層３８（左斜め下の斜線の領域）が形成されている。【００８０】
さらに、第三領域３５の辺３５ｃと第二のミシン目３７との間の領域に第二接着層３９（右斜め下の斜線の領域）が形成されている。【００８１】
図１０に示すように、剥離紙４１は第二領域３４の裏面３４ｂ及び第三領域３５の裏面３５ｂに、すなわち、第一接着層３８及び第二接着層３９を覆うように貼り付けられている。【００８２】
第一接着層３８は、第一の実施形態における第一接着層１７と同様の接着力を有しており、第二接着層３９は、第一の実施形態における第二接着層１８と同様の接着力を有している。【００８３】
次いで、本発明の第二の実施形態に係る情報隠蔽葉書３０の使用方法を以下に説明する。【００８４】
先ず、第一領域３３の表面３３ａに受取人の宛て名及び氏名を記入し、第一領域３３の裏面３３ｂに本文を記載した後、剥離紙４１を第二領域３４の裏面３４ｂ及び第三領域３５の裏面３５ｂから剥がす。【００８５】
次いで、第一の折り返し線３２ａを中心として第一領域３３の裏面３３ｂと第二領域３４の裏面３４ｂとが相互に重なり合うように折り合わせる。これにより、第一領域３３の裏面３３ｂと第二領域３４の裏面３４ｂとは第一接着層３８を介して相互に貼り合わせられる。【００８６】
次いで、第二の折り返し線３２ｂを中心として、第三領域３５の裏面３５ｂが第一領域３３の表面３３ａの上に重なるように、第三領域３５を折り曲げる。【００８７】
次いで、図１１及び図１２に示すように、第二接着層３９を介して第三領域３５の裏面３５ｂを第一領域３３の表面３３ａ上に貼り付ける。【００８８】
受取人は、図１１及び図１２に示すように、第一領域３３、第二領域３４及び第三領域３５が相互に貼り合わせられた状態で情報隠蔽葉書３０を受け取る。【００８９】
受取人は、第一のミシン目３６と第二のミシン目３７との間に挟まれた領域４０の一端を持って、第一のミシン目３６と第二のミシン目３７に沿って、領域４０を周囲の第三領域３５から切り離す。この際、周囲の第三領域３５は第一接着層３９を介して第一領域３３の表面３３ａに貼り付けられているため、領域４０のみが第一のミシン目３６と第二のミシン目３７に沿って切り離されることになる。【００９０】
第二のミシン目３７と第三領域３５の辺３５ｃとの間の領域は第二接着層３９を介して第一領域３３の表面３３ａに貼り付けられているため、第一領域３３からは剥がれない。【００９１】
これに対して、第二領域３４は第一接着層３８を介して第一領域３３の裏面３３ｂに貼り付けられているため、第一領域３３から剥がすことが可能である。受取人は、領域４０を切り離した後、第二領域３４を第一領域３３から剥がすことにより、第一領域３３の裏面３３ｂに記載された本文を読むことができる。【００９２】
本文を読み終わった後は、第二領域３４を再び第一領域３３の裏面３３ｂに貼り付けておくことができる。【００９３】
以上のように、本実施形態に係る情報隠蔽葉書３０によれば、第一のミシン目３６と第二のミシン目３７との間に挟まれた領域４０を切り離すことにより、情報隠蔽葉書３０の開封が行なわれ、領域０を切り離さない限りは、情報隠蔽葉書３０の開封を行なうことができない。このため、受取人が情報隠蔽葉書３０を受け取った時点において、領域４０が切り離されていなければ、未だ情報隠蔽葉書３０は未開封であることを確認することができる一方、領域４０が切り離されている場合には、情報隠蔽葉書３０は既に一旦開封されており、受取人以外の第三者が情報隠蔽葉書３０の本文を見たことを推定することができる。【００９４】
さらに、本実施形態に係る情報隠蔽葉書３０においては、第一の実施形態の場合と異なり、第一のミシン目３６及び第二のミシン目３７は第二領域３４には形成されていないため、第一接着層３８を第一の実施形態における第一接着層１７よりも広くすることができる。すなわち、第一接着層３８が形成された第二領域３４の裏面３４ｂによって覆われる第一領域３３の裏面３３ｂの面積を第一の実施形態よりも広くすることができる。すなわち、本文を記載する領域を第一の実施形態よりも広くすることができる。【００９５】
第二の実施形態に係る情報隠蔽葉書３０は以上のような構成に限定されるものではなく、第一の実施形態に係る情報隠蔽葉書１０と同様に、種々の変更を加えることが可能である。【００９６】
図１３は本実施形態に係る情報隠蔽葉書３０の製造方法を示すフローチャートである。【００９７】
以下、図５、図６及び図１３を参照して、本実施形態に係る情報隠蔽葉書３０の製造方法を説明する。【００９８】
本実施形態に係る情報隠蔽葉書３０の製造に際しては、第一の実施形態に係る情報隠蔽葉書１０の場合と同様に、図５に示すオフセット印刷機と図６に示すタック印刷機とを用いる。【００９９】
先ず、印刷用紙はロール２２から裁断セクション２３に送られ、シート３１の大きさに裁断される（図１３のステップＳ１１）。【０１００】
次いで、印刷用紙は印刷セクション２４に送られ、印刷セクション２４において、第一領域３３の表面３３ａに枠２０ａ、２０ｂが印刷される（図１３のステップＳ１２）。第三領域３５の表面３５ａにおける第一のミシン目３６と第二のミシン目３７との間に挟まれた領域４０に周囲の領域とは異なる色を印刷する場合には、印刷セクション２４において、領域４０にその色が印刷される。【０１０１】
この後、印刷用紙は一旦集積される。【０１０２】
一旦集積された印刷用紙は、接着剤塗布セクション２５に送られ、第二領域３４の裏面３４ｂに第一接着層３８を形成する接着剤及び第三領域３５の裏面３５ｂに第二接着層３９を形成する接着剤がそれぞれ塗布される（図１３のステップＳ１３）。【０１０３】
次いで、印刷用紙は、剥離紙付与セクション２６に送られ、剥離紙付与セクション２６において、第二領域３４の裏面３４ｂ及び第三領域３５の裏面３５ｂに、すなわち、第一接着層３８及び第二接着層３９上に剥離紙４１が貼り付けられる（図１３のステップＳ１４）。【０１０４】
次いで、印刷用紙はミシン目形成セクション２７に送られ、第三領域３５に第一のミシン目３８及び第二のミシン目３９が形成される（図１３のステップＳ１５）。シート３１の中心線にミシン目を入れる場合には、ミシン目形成セクション２７において、第一のミシン目３８及び第二のミシン目３９とともにシート３１の中心線にミシン目が形成される。【０１０５】
最後に、折り目セクション２８において、シート３１の中心線に折り目が入れられる（図１３のステップＳ１６）。【０１０６】
なお、印刷セクション２４における印刷工程（図１３のステップＳ１２）は省略可能である。【０１０７】
［第三の実施形態］
図１４は本発明の第三の実施形態に係る情報隠蔽葉書の表面の平面図、図１５は本発明の第三の実施形態に係る情報隠蔽葉書の裏面（剥離紙が貼り付けられていない状態）の平面図、図１６は図１５のＤ−Ｄ線における断面図（剥離紙が貼り付けられている状態）である。【０１０８】
以下、図１４乃至図１６を参照して、本発明の第三の実施形態に係る情報隠蔽葉書５０を説明する。【０１０９】
本発明の第一の実施形態に係る情報隠蔽葉書５０は、一枚の紙製のシート５１と、剥離紙５９と、からなる。【０１１０】
シート５１の中心線には折り返し線５２が設けられており、シート５１はこの折り返し線５２に沿って折り返し可能に形成されている。【０１１１】
シート５１は、折り返し線５２を境界として、その左右に第一領域５３と第二領域５４とを有している。第一領域５３と第二領域５４とは相互に同じ大きさを有しており、それぞれ表面５３ａ（図１４参照）、５４ａ（図１４参照）と裏面５３ｂ（図１５参照）、５４ｂ（図１５参照）とを有している。第一領域５３と第二領域５４とはともに現在使用されている葉書と同じ大きさである。【０１１２】
第一領域５３の表面５３ａには、切手を貼る枠２０ａと、郵便番号を記入する枠２０ｂとが予め印刷されている。【０１１３】
第二領域５４には、折り返し線５２と平行に延びる第一のミシン目５５と、折り返し線５２から離れる方向に第一のミシン目５５と間隔をおいて第一のミシン目５５と平行に延びる第二のミシン目５６とが形成されている。図１４に示すように、第一のミシン目５５及び第二のミシン目５６は、折り返し線５２とは反対側の第二領域５４の辺５４ｃの近傍に形成されている。具体的には、第二のミシン目５６が、第二領域５４の辺５４ｃから距離Ｘだけ離れるように、形成されている。【０１１４】
図１５及び図１６に示すように、第一領域５３の裏面５３ｂには、第一非接着層５７（左斜め下の斜線の領域）が形成されている。具体的には、第一非接着層５７は、折り返し線５２の近傍の領域を除いて、さらに、折り返し線５２とは反対側の第一領域５３の辺５３ｃから距離Ｘの領域を除いて、形成されている。【０１１５】
さらに、第二領域５４の裏面５４ｂには、折り返し線５２の近傍の領域を除いて、第二接着層５８（右斜め下の斜線の領域）が形成されている。【０１１６】
図１６に示すように、剥離紙５９は第二領域５４の裏面５４ｂに、すなわち、第二接着層５８上に貼り付けられている。【０１１７】
第二接着層５８は、第一の実施形態における第二接着層１８と同様の接着力を有している。【０１１８】
第一非接着層５７は、ニスやシリコンなどの溶剤を塗布し、乾燥させることにより形成されている。このため、第一非接着層５７の表面はつるつるの状態になっており、第一非接着層５７の表面の接着性は極めて小さい。従って、第二領域５４の裏面５４ｂと第一領域５３の裏面５３ｂとを第二接着層５８を介して相互に貼り合わせた後であっても、第一非接着層５７は第二接着層５８から剥離可能である。すなわち、第一非接着層５７が形成されている領域においては、第二領域５４の裏面５４ｂと第一領域５３の裏面５３ｂとは相互に剥離可能になっている。【０１１９】
次いで、本発明の第三の実施形態に係る情報隠蔽葉書５０の使用方法を以下に説明する。【０１２０】
先ず、第一領域５３の表面５３ａに受取人の宛て名及び氏名を記入する。なお、第一領域５３の裏面５３ｂには、例えば、印刷により、既に本文は記載されており、その上に第一非接着層５７が形成されているものとする。あるいは、第一非接着層５７の上に本文を記載してもよい。【０１２１】
この後、剥離紙５９を第二領域５４の裏面５４ｂから剥がす。【０１２２】
次いで、折り返し線５２を中心として第一領域５３を折り曲げ、第一領域５３の裏面５３ｂと第二領域５４の裏面５４ｂとを相互に貼り合わせる。【０１２３】
前述のように、第一非接着層５７が形成されている領域においては、第二領域５４は第一領域５３から剥離可能であるが、第一領域５３の辺５３ｃから距離Ｘの領域には第一非接着層５７は形成されていないため、この領域においてのみ、第一領域５３の裏面５３ｂと第二領域５４の裏面５４ｂとは第二接着層５８を介して相互に貼り合わせられる。【０１２４】
受取人はこの状態で情報隠蔽葉書５０を受け取る。【０１２５】
受取人は、第一のミシン目５５と第二のミシン目５６との間に挟まれた領域６１の一端を持って、第一のミシン目５５と第二のミシン目５６に沿って、領域６１を周囲の第二領域５４から切り離す。この際、領域６１に対応する第一領域５３上には第一非接着層５７が形成されているのに対して、第二領域５４の辺５４ｃから距離Ｘの領域においては第二接着層５８を介して第二領域５４が第一領域５３に貼り付けられているため、領域６１のみが第一のミシン目５５と第二のミシン目５６に沿って切り離されることになる。【０１２６】
第二のミシン目５６と第二領域５４の辺５４ｃとの間の領域、すなわち、第二領域５４の辺５４ｃから距離Ｘの領域は第二接着層５８を介して第一領域５３に貼り付けられているため、第一領域５３からは剥がれない。【０１２７】
これに対して、折り返し線５２と第一のミシン目５５との間の領域には第二接着層５８が形成されてはいるが、この領域に対応して、第一領域５３の裏面５３ｂに第一非接着層５７が形成されているため、第二領域５４を第一領域５３から剥がすことが可能である。受取人は、領域６１を切り離した後、領域６１から折り返し線５２の方向に折り返し線５２と第一のミシン目５５との間の第二領域５４を第一領域５３から剥がすことにより、第一領域５３の裏面５３ｂに記載された本文を読むことができる。【０１２８】
本文を読み終わった後は、折り返し線５２と第一のミシン目５５との間の第二領域５４を再び第一領域５３の裏面５３ｂに貼り付けておくことができる。【０１２９】
以上のように、本実施形態に係る情報隠蔽葉書５０によれば、第一のミシン目５５と第二のミシン目５６との間に挟まれた領域６１を切り離すことにより、情報隠蔽葉書５０の開封が行なわれ、領域６１を切り離さない限りは、情報隠蔽葉書５０の開封を行なうことができない。このため、受取人が情報隠蔽葉書５０を受け取った時点において、領域６１が切り離されていなければ、未だ情報隠蔽葉書５０は未開封であることを確認することができる一方、領域６１が切り離されている場合には、情報隠蔽葉書５０は既に一旦開封されており、受取人以外の第三者が情報隠蔽葉書５０の本文を見たことを推定することができる。【０１３０】
第三の実施形態に係る情報隠蔽葉書５０は以上のような構成に限定されるものではなく、第一の実施形態に係る情報隠蔽葉書１０と同様に、種々の変更を加えることが可能である。【０１３１】
また、本実施形態においては、第一非接着層５７は、折り返し線５２の近傍と第一領域５３の辺５３ｃから距離Ｘの領域とを除いて、第一領域５３の全域にわたって形成されているが、第一非接着層５７をこのように形成することも必ずしも必要ではない。【０１３２】
第一非接着層５７は、第二領域５４の裏面５４ｂを第一領域５３の裏面５３ｂに貼り合わせた際に、第一領域５３の裏面５３ｂに記載された本文が隠れるように第二領域５４の裏面５４ｂが第一領域５３の裏面５３ｂに貼り合わせられるような範囲に形成されれば十分であり、この場合、第二接着層５８も第一非接着層５７に対応する領域にのみ形成される。【０１３３】
そのような一例を図１７に示す。【０１３４】
図１７に示すように、第一非接着層５７は、第一領域５３内において、第一領域５３の外周にのみ、枠状に形成されている。第二領域５４の裏面５４ｂに形成される第二接着層５８も枠状の第一非接着層５７に対応して枠状に形成されている。図１７に示す例においては、枠状の第一非接着層５７に囲まれる領域に本文が記載される。【０１３５】
図１８は本実施形態に係る情報隠蔽葉書５０の製造方法を示すフローチャートである。【０１３６】
以下、図１８を参照して、本実施形態に係る情報隠蔽葉書５０の製造方法を説明する。【０１３７】
本実施形態に係る情報隠蔽葉書５０の製造に際しては、第一の実施形態に係る情報隠蔽葉書１０の場合と同様に、図５に示すオフセット印刷機と図６に示すタック印刷機とを用いる。【０１３８】
先ず、印刷用紙はロール２２から裁断セクション２３に送られ、シート３１の大きさに裁断される（図１８のステップＳ２１）。【０１３９】
次いで、印刷用紙は印刷セクション２４に送られ、印刷セクション２４において、第一領域５３の表面５３ａに枠２０ａ、２０ｂが印刷され、さらに、第一領域５３の裏面５３ｂに本文が印刷される（図１８のステップＳ２２）。第二領域５４の表面５４ａにおける第一のミシン目５５と第二のミシン目５６との間に挟まれた領域６１に周囲の領域とは異なる色を印刷する場合には、印刷セクション２４において、領域６１にその色が印刷される。【０１４０】
次いで、溶剤塗布セクション（図示せず）において、第一領域５３の裏面５３ｂにニス、シリコンその他の溶剤を塗布し、乾燥させることにより、第一領域５３の裏面５３ｂに第一非接着層５７を形成する（図１８のステップＳ２３）。【０１４１】
この後、印刷用紙は一旦集積される。【０１４２】
一旦集積された印刷用紙は、接着剤塗布セクション２５に送られ、第二領域５４の裏面５４ｂに第二接着層５８を形成する接着剤がそれぞれ塗布される（図１８のステップＳ２４）。【０１４３】
次いで、印刷用紙は、剥離紙付与セクション２６に送られ、剥離紙付与セクション２６において、第二領域５４の裏面５４ｂに、すなわち、第二接着層５８上に剥離紙５９が貼り付けられる（図１８のステップＳ２５）。【０１４４】
次いで、印刷用紙はミシン目形成セクション２７に送られ、第二領域５４に第一のミシン目５５及び第二のミシン目５６が形成される（図１８のステップＳ２６）。シート５１の中心線にミシン目を入れる場合には、ミシン目形成セクション２７において、第一のミシン目５５及び第二のミシン目５６とともにシート５１の中心線にミシン目が形成される。【０１４５】
最後に、折り目セクション２８において、シート５１の中心線に折り目が入れられる（図１８のステップＳ２７）。【０１４６】
なお、印刷セクション２４における印刷工程（図１８のステップＳ２２）は省略可能である。
【図面の簡単な説明】
【０１４７】
【図１】図１は本発明の第一の実施形態に係る情報隠蔽葉書の表面の平面図である。
【図２】図２は本発明の第一の実施形態に係る情報隠蔽葉書の裏面（剥離紙が貼り付けられていない状態）の平面図である。
【図３】図３は本発明の第一の実施形態に係る情報隠蔽葉書の裏面（剥離紙が貼り付けられている状態）の平面図である。
【図４】図４は図３のＡ−Ａ線における断面図である。
【図５】図５は本発明の第一の実施形態に係る情報隠蔽葉書の製造装置を示す概略図である。
【図６】図６は本発明の第一の実施形態に係る情報隠蔽葉書の製造装置を示す概略図である。
【図７】図７は本発明の第一の実施形態に係る情報隠蔽葉書の製造方法を示すフローチャートである。
【図８】本発明の第二の実施形態に係る情報隠蔽葉書の表面の平面図である。
【図９】本発明の第二の実施形態に係る情報隠蔽葉書の裏面（剥離紙が貼り付けられていない状態）の平面図である。
【図１０】図９のＢ−Ｂ線における断面図（剥離紙が貼り付けられている状態）である。
【図１１】本発明の第二の実施形態に係る情報隠蔽葉書を発送する際の状態を示す平面図である。
【図１２】図１２は図１１のＣ−Ｃ線における断面図である。
【図１３】図１３は本発明の第二の実施形態に係る情報隠蔽葉書の製造方法を示すフローチャートである。
【図１４】本発明の第三の実施形態に係る情報隠蔽葉書の表面の平面図である。
【図１５】本発明の第三の実施形態に係る情報隠蔽葉書の裏面（剥離紙が貼り付けられていない状態）の平面図である。
【図１６】図１５のＤ−Ｄ線における断面図（剥離紙が貼り付けられている状態）である。
【図１７】本発明の第三の実施形態の変形例に係る情報隠蔽葉書の裏面（剥離紙が貼り付けられていない状態）の平面図である。
【図１８】図１８は本発明の第三の実施形態に係る情報隠蔽葉書の製造方法を示すフローチャートである。
【符号の説明】
【０１４８】
１０  本発明の第一の実施形態に係る情報隠蔽葉書
１１、３１、５１  シート
１２、３２、５２  折り返し線
１３、３３、５３  第一領域
１４、３４、５４  第二領域
１５、３６、５５  第一のミシン目
１６、３７、５６  第二のミシン目
１７、３８  第一接着層
１８、３９、５８  第二接着層
１９、４１、５９  剥離紙
２０ａ、２０ｂ  枠
２２  ロール
２３  裁断セクション
２４  印刷セクション
２５  接着剤塗布セクション
２６  剥離紙付与セクション
２７  ミシン目形成セクション
２８  折り目セクション
３０  本発明の第二の実施形態に係る情報隠蔽葉書
３５  第三領域
５０  本発明の第三の実施形態に係る情報隠蔽葉書
５７  第一非接着層
【図１】
2006003743.tif 000002
【図２】
2006003743.tif 000003
【図３】
2006003743.tif 000004
【図４】
2006003743.tif 000005
【図５】
2006003743.tif 000006
【図６】
2006003743.tif 000007
【図７】
2006003743.tif 000008
【図８】
2006003743.tif 000009
【図９】
2006003743.tif 000010
【図１０】
2006003743.tif 000011
【図１１】
2006003743.tif 000012
【図１２】
2006003743.tif 000013
【図１３】
2006003743.tif 000014
【図１４】
2006003743.tif 000015
【図１５】
2006003743.tif 000016
【図１６】
2006003743.tif 000017
【図１７】
2006003743.tif 000018
【図１８】
2006003743.tif 000019
【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
一枚のシートと、剥離紙と、からなる情報隠蔽葉書であって、
前記シートは、折り返し線に沿って折り返し可能であり、前記折り返し線を境界として第一領域と第二領域とを有しており、
前記第二領域には、前記折り返し線と平行に延びる第一のミシン目と、前記折り返し線から離れる方向に前記第一のミシン目と間隔をおいて前記第一のミシン目と平行に延びる第二のミシン目とが形成され、
前記第一領域の裏面には予め情報が印刷されており、かつ、前記第一領域の前記裏面上には第一非接着層が形成され、前記第二領域の裏面には、第二接着層が形成され、
前記第一非接着層は、前記折り返し線を中心として前記第一領域の裏面と前記第二領域の裏面とを折り合わせたときに、前記折り返し線と平行に延びる前記第二領域の辺と前記第二のミシン目との間の領域と重なり合わないように、形成されており、
前記剥離紙は前記第二領域の前記裏面に貼り付けられており、
前記第一非接着層は、前記第二領域の裏面と前記第一領域の裏面とを前記第二接着層を介して相互に貼り合わせた後であっても、前記第二接着層から剥離可能であり、
前記第二接着層は、前記第二領域の裏面と前記第一領域の裏面とを相互に貼り合わせた後に剥離不可能な接着力を有している情報隠蔽葉書。
【請求項２】
前記第一非接着層は、前記第一領域内において、前記第一領域の外周にのみ、枠状に形成されており、前記第二接着層も枠状の前記第一非接着層に対応して枠状に形成されていることを特徴とする請求の範囲第１項に記載の情報隠蔽葉書。
【請求項３】
前記折り返し線には折り目が付けられていることを特徴とする請求の範囲第１項または第２項に記載の情報隠蔽葉書。
【請求項４】
前記折り返し線にはミシン目が形成されていることを特徴とする請求の範囲第１項または第２項に記載の情報隠蔽葉書。
【請求項５】
前記折り返し線は前記シートの中心線であることを特徴とする請求の範囲第１項乃至第４項の何れか一項に記載の情報隠蔽葉書。
【請求項６】
前記第一のミシン目と前記第二のミシン目との間に挟まれた領域は、他の領域と異なる配色または模様が施されていることを特徴とする請求の範囲第１項乃至第５項の何れか一項に記載の情報隠蔽葉書。
【請求項７】
請求の範囲第１項に記載の情報隠蔽葉書の製造方法であって、
印刷用紙から前記情報隠蔽葉書を裁断する工程と、
前記第一領域の裏面に情報を印刷する工程と、
前記第一領域の裏面に前記第一非接着層を形成する工程と、
前記第二領域の裏面に前記第二接着層を形成する工程と、
前記第二領域の前記裏面に前記剥離紙を貼り付ける工程と、
前記第二領域に前記第一のミシン目及び前記第二のミシン目を同時に形成する工程と、
を備える情報隠蔽葉書の製造方法。
【請求項８】
前記第二領域に印刷を行う工程を備えることを特徴とする請求の範囲第７項に記載の情報隠蔽葉書の製造方法。
【請求項９】
前記折り返し線に、折り目を付け、または、ミシン目を形成する工程を備えることを特徴とする請求の範囲第７項または第８項に記載の情報隠蔽葉書の製造方法。
【手続補正２】
【補正対象書類名】明細書
【補正対象項目名】０００６
【補正方法】変更
【補正の内容】
【０００６】
この目的を達成するため、本発明は、一枚のシートと、剥離紙と、からなる情報隠蔽葉書であって、前記シートは、折り返し線に沿って折り返し可能であり、前記折り返し線を境界として第一領域と第二領域とを有しており、前記第二領域には、前記折り返し線と平行に延びる第一のミシン目と、前記折り返し線から離れる方向に前記第一のミシン目と間隔をおいて前記第一のミシン目と平行に延びる第二のミシン目とが形成され、前記第一領域の裏面には予め情報が印刷されており、かつ、前記第一領域の前記裏面上には第一非接着層が形成され、前記第二領域の裏面には、第二接着層が形成され、前記第一非接着層は、前記折り返し線を中心として前記第一領域の裏面と前記第二領域の裏面とを折り合わせたときに、前記折り返し線と平行に延びる前記第二領域の辺と前記第二のミシン目との間の領域と重なり合わないように、形成されており、前記剥離紙は前記第二領域の前記裏面に貼り付けられており、前記第一非接着層は、前記第二領域の裏面と前記第一領域の裏面とを前記第二接着層を介して相互に貼り合わせた後であっても、前記第二接着層から剥離可能であり、前記第二接着層は、前記第二領域の裏面と前記第一領域の裏面とを相互に貼り合わせた後に剥離不可能な接着力を有している情報隠蔽葉書を提供する。
【手続補正３】
【補正対象書類名】明細書
【補正対象項目名】０００７
【補正方法】変更
【補正の内容】
【０００７】
本発明に係る情報隠蔽葉書においては、剥離紙を剥がした後、第一領域と第二領域とを折り返し線を中心として折り合わせ、第二接着層を介して第一領域の裏面と第二領域の裏面とを貼り合わせる。ただし、第一非接着層は第二接着層から剥離可能であるので、第一領域の裏面に第一非接着層が形成されている領域においては、第一領域の裏面と第二領域の裏面とは実質的には貼り合わせられてはいない。実質的には、第一非接着層が形成されていない領域（折り返し線を中心として第一領域の裏面と第二領域の裏面とを折り合わせたときに、折り返し線と平行に延びる第二領域の辺と第二のミシン目との間の領域に対応する第一領域の領域）においてのみ、第一領域の裏面と第二領域の裏面とは貼り合わせられている。この状態で情報隠蔽葉書は発送される。情報隠蔽葉書を受け取った受取人は、第一のミシン目と第二のミシン目との間の領域を第一のミシン目及び第二のミシン目に沿って切り離すことにより、情報隠蔽葉書を開封することができる。これは、第一非接着層は第二接着層から剥離可能であるので、第一非接着層が形成されている領域においては、第一領域の裏面と第二領域の裏面とは貼り合わせられていないからである。本発明に係る情報隠蔽葉書においては、第一のミシン目と第二のミシン目との間の領域を切り離さない限りは、情報隠蔽葉書の開封を行なうことができないため、受取人が情報隠蔽葉書を受け取った時点において、該領域が切り離されていなければ、未だ情報隠蔽葉書は未開封であることを確認することができる一方、該領域が切り離されている場合には、情報隠蔽葉書は既に一旦開封されており、受取人以外の第三者が情報隠蔽葉書の本文を見たことを推定することができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】変更
【補正の内容】
【００２７】
本発明は、上記の情報隠蔽葉書の製造方法であって、印刷用紙から前記情報隠蔽葉書を裁断する工程と、前記第一領域の裏面に情報を印刷する工程と、前記第一領域の裏面に前記第一非接着層を形成する工程と、前記第二領域の裏面に前記第二接着層を形成する工程と、前記第二領域の前記裏面に前記剥離紙を貼り付ける工程と、前記第二領域に前記第一のミシン目及び前記第二のミシン目を同時に形成する工程と、を備える情報隠蔽葉書の製造方法を提供する。
【手続補正１９】
【補正対象書類名】明細書
【補正対象項目名】００２８
【補正方法】変更
【補正の内容】
【００２８】
本製造方法により、上記の情報隠蔽葉書を製造することができる。
【国際調査報告】
2006003743.tif 000020
2006003743.tif 000021
2006003743.tif 000022
2006003743.tif 000023